(57)【特許請求の範囲】
【請求項１】
ドアにビスで固定する第１蝶番片と枠体にビスで固定する第２蝶番片をシャフトを介して連結し、
前記第１蝶番片の表面に長穴と位置決め穴を構成し、この位置決め穴の上端と下端にラック状の位置決め部を構成すると共に、前記位置決め穴の位置決め部と係合する位置決め部を形成しドアに固定される固定片を構成し、この固定片の位置決め部と前記第１蝶番片の位置決め部を係合させて蝶番をドアに固定し、
ドアの位置を変更する際には、第１蝶番片を止めてある長穴のビスを緩めて、第１蝶番片の位置決め部と固定片の位置決め部との係合を解いてドアの位置を移動し、
その後、再び第１蝶番片の位置決め部を固定片の位置決め部と係合させて、前記長穴のビスを締めて蝶番をドアに固定する蝶番。
【請求項２】
ドアにビスで固定する第１蝶番片と枠体にビスで固定する第２蝶番片をシャフトを介して連結し、
前記第２蝶番片の表面に長穴と位置決め穴を構成し、この位置決め穴の上端と下端にラック状の位置決め部を構成すると共に、前記位置決め穴の位置決め部と係合する位置決め部を形成し枠体に固定される固定片を構成し、この固定片の位置決め部と前記第２蝶番片の位置決め部を係合させて蝶番を枠体に固定し、
ドアの位置を変更する際には、第２蝶番片を止めてある長穴のビスを緩めて、第２蝶番片の位置決め部と固定片の位置決め部との係合を解いてドアの位置を移動し、
その後、再び第２蝶番片の位置決め部を固定片の位置決め部と係合させて、前記長穴のビスを締めて蝶番を枠体に固定する蝶番。
【発明の詳細な説明】
【技術分野】
【０００１】
本発明は、ドアの前後位置調整可能な蝶番に関するものである。
【背景技術】
【０００２】
従来のドアの構造では、ドアが差込み式蝶番により枠体に取り付けられている。この構造は２枚の蝶番に夫々所定数の丸穴を穿設し、一方ドアと枠体にはビス孔を開けて、丸穴とビス穴の位置を合わせてビス止めしていた。例えば特許文献１記載の図１及び図２に示されているものである。
【特許文献１】特開２００７−２２４５７６
【０００３】
しかしながら、前記従来のドアは枠体にビスで固定されていて前後方向へ移動させることはできなかったため、地震や長い間の開閉によってドアが枠体に対してねじれてきた場合はドアの位置を変更することは困難であった。
【発明の開示】
【発明が解決しようとする課題】
【０００４】
本発明は上記の点に鑑みなされたものであり、ドアの前後位置調整を簡易構成で可能とし、迅速正確にドアの調整を行える蝶番を提供する。
【課題を解決するための手段】
【０００５】
本発明の要旨とするところは、ドアにビスで固定する第１蝶番片と枠体にビスで固定する第２蝶番片をシャフトを介して連結し、前記第１蝶番片の表面に長穴と位置決め穴を構成し、この位置決め穴の上端と下端にラック状の位置決め部を構成すると共に、前記位置決め穴の位置決め部と係合する位置決め部を形成しドアに固定される固定片を構成し、この固定片の位置決め部と前記第１蝶番片の位置決め部を係合させて蝶番をドアに固定し、ドアの位置を変更する際には、第１蝶番片を止めてある長穴のビスを緩めて、第１蝶番片の位置決め部と固定片の位置決め部との係合を解いてドアの位置を移動し、その後、再び第１蝶番片の位置決め部を固定片の位置決め部と係合させて、前記長穴のビスを締めて蝶番をドアに固定する蝶番である。
【０００６】
また本発明の要旨とするところは、ドアにビスで固定する第１蝶番片と枠体にビスで固定する第２蝶番片をシャフトを介して連結し、前記第２蝶番片の表面に長穴と位置決め穴を構成し、この位置決め穴の上端と下端にラック状の位置決め部を構成すると共に、前記位置決め穴の位置決め部と係合する位置決め部を形成し枠体に固定される固定片を構成し、この固定片の位置決め部と前記第２蝶番片の位置決め部を係合させて蝶番を枠体に固定し、ドアの位置を変更する際には、第２蝶番片を止めてある長穴のビスを緩めて、第２蝶番片の位置決め部と固定片の位置決め部との係合を解いてドアの位置を移動し、その後、再び第２蝶番片の位置決め部を固定片の位置決め部と係合させて、前記長穴のビスを締めて蝶番を枠体に固定する蝶番である。
【発明の効果】
【０００８】
本発明は上記の如き構成であるため、請求項１の発明は、ドアを取り外すことなく第１蝶番片を緩めることで、ドアを枠体に対して前方あるいは後方へ移動させることができる。そのためドアが枠体に対してねじれている場合にドアの位置を容易かつ確実に調整することができる。
そのためドアと枠体表面とのシールをより完全に行い、室内の気密性や遮音性を保つことができる。
【０００９】
請求項２の発明は、枠体側に取り付けた第２蝶番片を移動してドアを移動させることができる。この発明によれば請求項１と同様の作用効果を奏するが、特にドア側の第１蝶番片を緩めて調整が困難な場合に有効である。  
【発明を実施するための最良の形態】
【００１１】
本発明を実施するための最良の形態は、ドアに固定した第１蝶番片と枠体に固定した第２蝶番片をシャフトを介して連結し、前記第１蝶番片の表面に長穴と方形の位置決め穴を構成し、この位置決め穴の上端と下端にラック状の位置決め部を構成する。
さらに前記第１蝶番片の位置決め部と係合する位置決め部を上端と下端に形成した固定片を構成し、この固定片をドアに固定した後、前記第１蝶番片と係合させた蝶番である。
【００１２】
以下、本発明の実施形態を図に基づいて説明する。
図１はドアの正面図、図２は第１実施形態の蝶番の分解斜視図、図３は第１実施形態の蝶番の取付状態の一部省略正面図及び図４は第２実施形態の蝶番の取付状態の一部省略正面図である。
【００１３】
本実施形態は、躯体に固定した枠体４０に蝶番３を介して開閉自在に取り付けたドア１と、このドア１と枠体４０をシールするシール部材４５からなる。以下その内容を詳細に説明する。
【００１４】
図２、図３に基づき第１実施形態の蝶番３について説明する。この蝶番３は上部の雌型蝶番片である第１蝶番片１０と下部の雄型蝶番片である第２蝶番片３０が差込みシャフト３３を介して連結されている。
【００１５】
図示のように、蝶番３はドア１に固定する第１蝶番片１０と枠体４０に固定する第２蝶番片３０からなる。
第１蝶番片１０の表面には４個の横形の楕円形の長穴１１を穿設すると共に、中央部には長方形の位置決め穴１２を穿設してある。この位置決め穴１２の上端と下端にラック状の位置決め部１３，１３を構成する。
前記位置決め穴１２の形状は任意に選択でき、位置決め部１３は、上端と下端のどちらか一方に設けても良い。
【００１６】
一方、前記第１蝶番片１０の位置決め部１３と係合する、長方形の固定片２０を構成する。この固定片２０の上端と下端にはラック状の位置決め部２２，２２を形成し、中央にはビス用の丸穴２１が穿設されている。
この固定片２０はドア１に固定した状態で前記第１蝶番片１０と係合するもので、ドア１の位置決めを行いかつドア１と第１蝶番１０とを確実に固定する働きをする。
なお、第２蝶番片３０には従来のように５個の丸穴３１が穿設されている。
【００１７】
本実施形態の作用を図３に基づいて説明すると、地震や経年劣化に伴い枠体４０とドア１の間にゆがみ等が生じた場合、第１蝶番片１０を止めてある長穴１１，１１・・のビス１９，１９・・を緩めて、ドア１の上部を前方にずらして仮想線の位置に移動させる。
このとき、この長穴１１，１１・・の中をドア１とビス１９，１９・・が移動することになる。正しい位置（仮想線の位置）に移動した後、その位置でビス１９，１９・・を再び締めればドア１は再び固定される。
【００１８】
一方、固定片２０はドア１に固定されているから、上記のビス１９を緩めてドア１を移動させるとき、第１蝶番片１０を少し浮かせるようにして、第１蝶番片１０の位置決め部１３，１３と固定片２０の上端及び下端の位置決め部２２，２２との係合を解く。
そしてドア１の位置を決めてから、再び固定片２０の位置決め部２２，２２と第１蝶番片１０の位置決め部１３，１３を係合させる。これによりドア１が確実に第１蝶番片１０に固定され位置がずれないようになる。
【００１９】
次に第２実施形態の蝶番５を図４に基づいて説明する。
図示のように、蝶番５はドアに固定する第１蝶番片１５と枠体４０に固定する第２蝶番片３５からなる。
この蝶番５はドア１に固定する第１蝶番片１５の表面に５個の丸穴１６を穿設すると共に、第２蝶番片３５には４個の楕円形の長穴３６を穿設し、中央部には長方形の位置決め穴３７を構成してある。この位置決め穴３７の上端と下端にラック状の位置決め部３８，３８を構成する。
前記位置決め穴３７の形状は任意に選択でき、位置決め部３８は、上端と下端のどちらか一方に設けても良い。
【００２０】
一方、前記第２蝶番片３５の位置決め部３７と係合する、長方形の固定片２０ａを構成する。この固定片２０ａの上端と下端にはラック状の位置決め部２０ｃ，２０ｃを形成し、中央にはビス用の丸穴２０ｂが穿設されている。
この固定片２０ａは枠体４０に固定してあり、前記第２蝶番片３５と係合してドア１の位置決めを行い、かつ第２蝶番片３５を確実に枠体４０に固定する働きをする。
なお、第１蝶番片１５には従来のように５個の丸穴１６が穿設されている。
【００２１】
前記第２実施形態の作用、効果は上述の第１実施形態と同様であるが、本実施形態においては、第２蝶番片３５と固定片２０ａが枠体４０に固定されているから、ドア１を前後方向へ移動させると第２蝶番片３５も共に移動するのである。
【００２２】
上述の蝶番によれば、ドアの位置が変形しても、簡易な方法で迅速かつ正確にドアを前後に移動させて正常な位置に直すことができる。そのためシール部材４５との位置関係も正常となりドア１がシール部材４５を傷めることなく、シール部材４５の劣化を防ぎ室内の気密性を高め、遮音性に優れるのである。
【００２３】
また、上記第１実施形態、第２実施形態の蝶番を任意に組み合わせて使用することもできる。この場合はドア１の位置調節がより自由に行えるのである。
【図面の簡単な説明】
【００２４】
【図１】ドアの正面図
【図２】第１実施形態の蝶番の分解斜視図
【図３】第１実施形態の蝶番の取付状態の一部省略正面図
【図４】第２実施形態の蝶番の取付状態の一部省略正面図
【符号の説明】
【００２５】
１  ドア
３  蝶番
１０  第１蝶番片
１１  長穴
１２  位置決め穴
１３  位置決め部
１５  第１蝶番片
１９  ビス
２０  固定片
２１  丸穴
２２  位置決め部
３０  第２蝶番片
３５  第２蝶番片
３６  長穴
３７  位置決め穴
３８  位置決め部
２０ａ  固定片
２０ｂ  丸穴
２０ｃ  位置決め部
３３  シャフト
４０  枠体
４５  シール部材
【要約】
【課題】  ドアの前後位置調整を簡易な構成で可能とし、ドアの気密性と遮音性を高める蝶番を提供する。
【解決手段】  ドア１に固定した第１蝶番片１０の表面に複数の長穴１１を穿設すると共に、中央に位置決め穴１２を構成する一方、この位置決め穴１２と係合する、位置決め部２２を上端及び下端に形成した固定片２０を構成する。この固定片２０をドア１に固定して第１蝶番片１０と係合せしめ、枠体４０に固定した第２蝶番片３０とシャフト３３で連結した蝶番。
【選択図】図３【図１】
0004222625.tif 000002
【図２】
0004222625.tif 000003
【図３】
0004222625.tif 000004
【図４】
0004222625.tif 000005